(57)【特許請求の範囲】
【請求項１】
薬剤を溜めるＶ型断面形状の溝の底部が開閉するＶ枡１と、Ｖ枡１に対してその長手方向に移動自在に設けられ、上記溝内の散薬量を所定量とするように仕切る仕切板１４と、Ｖ枡１の下方に溝に沿って並設された複数の小容器２３から成る分割容器２とを備え、仕切板１４で定めた溝の範囲に薬剤を溜めて均しＶ枡１内の薬剤を分割容器２に落として配分する薬剤分割装置において、仕切板１４の下部に当接して溝を閉じる開閉板１２を、これに取り付けた第１仕切補助板１７を軸２０により連結した仕切板１４に対し回転して開放自在とし、この開閉板１２を開放する際に、開閉板１２と仕切板１４下部との間に生じる隙間を塞ぐ仕切補助板１８を仕切板１４に沿って上下動自在に設け、仕切補助板１８を自重で下降させることにより上記隙間を塞ぐようにしたことを特徴とする薬剤分割装置。
【請求項２】
前記仕切補助板１８を、この補助板に設けた長孔１９を仕切り板１４に設けた軸２０に嵌合させて上下動自在に設けたことを特徴とする請求項１に記載の薬剤分割装置。
【請求項３】
前記仕切補助板１８を、開閉板１２の内面に補助板周辺部を当接させることにより開閉板１２が開放されると自重で降下し、開閉板１２を閉じる力で仕切補助板１８を持ち上げて上下動自在としたことを特徴とする請求項１又は２に記載の薬剤分割装置。
【請求項４】
前記仕切板１４に対し開閉板１２を閉じた際に開閉板１２と仕切板１４の前面上部に生じる隙間を塞ぐ他の仕切補助板１７を仕切板１４に回転自在に軸着し、開閉板１２の内面に当接するように設けたことを特徴とする請求項１乃至３のいずれかに記載の薬剤分割装置。
【発明の詳細な説明】
【０００１】
【発明の属する技術分野】
この発明は、粉末状又は顆粒状の散薬を各包ずつの量に分割する薬剤分割装置の改良に関する。
【０００２】
【従来の技術】
病院や薬局で処方箋に基づいて調剤された散薬を各包ずつの量に分割する薬剤分割装置として、Ｖ桝を用いた薬剤分割装置が利用されている。このような薬剤分割装置の一例として、実公昭６３−４１２８２号公報に開示された装置が知られている。この公報による薬剤分割装置は、図５〜図７に示すように、垂直な内面を有する支持ブロック１１を有し、その両端部の端板１１ａ間に配置され支持ブロックの内面との間にＶ桝を形成する開閉板１２を端板１１ａに開閉自在に取付け、Ｖ形桝の内面に沿って位置調整自在に仕切板１４を設けたＶ桝１と、その下方に複数個の容量に散薬を分割して収容する小容器２３を複数個連ねて形成される分割器２とを備えている。３はホッパである。
【０００３】
上記仕切板１４には、開閉板１２の内面と対向する前面上部に開閉板１２の開閉を許容する逃げ面が形成され、この仕切板１４の片面に重ね合せて補助板１７を、その外周一辺を開閉板１２の内面に衝重して閉鎖状態とした開閉板１２の内面と逃げ面間に生じる隙間を閉鎖するように設け、補助板１７は仕切板１４に軸２０着して構成されている。１３はローラ、１５はローラ支持アーム、１６はレール、２１は開閉用アーム、２４は開閉蓋、２６は固定軸、２７は円筒リング、２８はばねである。
【０００４】
【発明が解決しようとする課題】
ところで、上記のような仕切板１４にその前面上部１４ａの逃げ面から薬剤がはみ出るのを防止する補助板１７を設ければ、Ｖ桝１内に収容できる薬剤の有効容量を増大させることができる。このような薬剤の有効容量は、開閉板１２を閉じたＶ桝１の容量について問題とされる。しかし、Ｖ桝１内の薬剤を下方の分割器２へ落下させる際に開閉板１２を開放すると、開閉板１２と仕切板１４の前面下部１４ｂとの間にも隙間ができる。
【０００５】
このため、開閉板１２を開放したときに仕切板１４と開閉板１２との間にできる隙間から仕切板１４の外側へと薬剤がはみ出てしまい、従って分割容器の仕切板寄りの分割桝部分に落下する薬剤量が若干減少し、かつ薬剤を落下させたくない分割桝部分へも薬剤がはみ出て収容されてしまう。従来は、このような若干量はみ出る薬剤があることを考慮して、仕切板１４の停止位置を図７に示す設計上の仕切板位置より少し手前位置に微調整し、薬剤のはみ出し量を調整する方法が採られている。あるいは、特定位置の分割桝の幅を少し大きく形成しておき、仕切板が他の分割桝に対して停止する位置と同じ位置に停止しても、はみ出した薬剤を特定位置の分割桝で必ず全量収容できるようにするという配慮がなされている。
【０００６】
しかし、前者の調整方法は仕切板を停止させる位置について仕切板の移動量を分割桝に対し正確に調整する必要があり、正確な位置に停止させても完全にはみ出し量をゼロにすることはできない。又、後者の調整方法は特定位置の分割桝を大きく設計しなければならないため、同一容量の分割桝に対し特別の形状の分割器を形成する必要があり、コストが掛かると共に製作が煩わしいなどの問題がある。
【０００７】
この発明は、上記の問題に留意して、開閉板の開放時にＶ桝内で仕切板の位置を微調整することなく簡易な部材を設けることにより薬剤を落下させるべき分割容器の範囲に隣接する容器部分に薬剤が流出しないようにした薬剤分割装置を提供することを課題とする。
【０００８】
【課題を解決するための手段】
この発明は、上記の課題を解決する手段として、薬剤を溜めるＶ型断面形状の溝の底部が開閉し、溝内を移動自在に仕切る仕切板を設けたＶ桝と、Ｖ桝の下方に溝に沿って並設された複数の小容器から成る分割容器とを備え、仕切板で定めた溝の範囲に薬剤を溜めて均しＶ桝内の薬剤を分割容器に落して配分する薬剤分割装置において、仕切板の前面下部に当接して溝を閉じる開閉板を開放した際に開閉板と仕切板前面下部との間に生じる隙間を塞ぐ仕切補助板を仕切板に沿って設けたことを特徴とする薬剤分割装置としたのである。
【０００９】
かかる構成の薬剤分割装置によれば、Ｖ桝から分割容器へ薬剤を落下させる際に分割容器の薬剤を落下させるべき所定範囲内に落下し、仕切板の下部隙間から所定範囲外へ薬剤が流出しなくなる。開閉板を閉じて仕切板を所定範囲位置に停止させ、薬剤の一定量をＶ桝の溝内に溜め全体に均した後開閉板を開き、分割容器へ落下させる。
【００１０】
このとき、開閉板が開いたことにより仕切補助板が仕切板前面下部と開閉板との間に生じる隙間を塞ぐように移動し、上記隙間が塞がれる。このため、落下する薬剤の一部が上記隙間から分割容器の所定範囲に隣接する容器部分に流出することがなくなる。
【００１１】
【実施の形態】
以下、この発明の実施の形態について図面を参照して説明する。図１は薬剤分割装置の主縦断面図、図２は平面図を示す。この薬剤分割装置は、Ｖ桝１と分割容器２とを備えており、その下方にはホッパ３、さらにその下方に図示しない包装装置が設けられ、散薬を一定量ずつ複数の包装袋に順次包装するため分割容器２で分割された散薬をホッパ３を介して落下させて包装装置で包装するようになっている。
【００１２】
Ｖ桝１は、垂直壁の内面を有する支持ブロック１１と、この支持ブロック１１に対し断面がＶ型断面の溝を形成するよう傾斜状に設けられる開閉板１２とを有し、図２に示すように、支持ブロック１１の両端に各側板１１ａ、１１ａを設け、開閉板１２の両端に各レバー片１２ａを固定している。開閉板１２の各レバー片１２ａは、支持ブロック１１の各側板１１ａ、１１ａの外側で軸支され、この開閉板１２を回転自在に支持している。開閉板１２には開閉用アーム２１が連結され、このアーム２１をシリンダのような駆動手段で進退動させることにより開閉板１２が開閉され、この開閉板１２の回転に伴ってＶ桝１の底が開閉する。
【００１３】
Ｖ桝１には仕切板１４が設けられ、仕切板１４はその上部がＬ字形のローラ支持アーム１５に接続され、このローラ支持アーム１５に取付けられた各一対の溝付きローラ１３、１３を支持ブロック１１の背面に固定された一対のレール１６、１６に嵌合させて仕切板１４を移動自在に支持している。ローラ支持アーム１５は、その背面側に設けられた図示しないタイミングベルトに連結され、このタイミングベルトを図示しないモータで回転させて移動自在に設けられており、これにより仕切板１４がＶ桝１の内側で移動する。
【００１４】
上記仕切板１４には、この例ではその内側（ホッパ３が設けられる側）に短軸２０を介して第１仕切補助板１７と第２仕切補助板１８が重ねて設けられている。第１仕切補助板１７は略台形状で、その外周一辺が開閉板１２の内面に隙間のない状態で当接するように設けられ、短軸２０は隅部に設けた軸穴に嵌合されて第１仕切補助板１７を回転自在に仕切板１４に連結している。この仕切補助板１７は、Ｖ字断面の溝内に収容される散薬の量を増大させるために設けられている。
【００１５】
第２仕切補助板１８も略台形状であるが、その一辺を支持ブロックの垂直壁に沿って上下動自在に設けられ、反対側の傾斜下辺が、図３に示すように、開閉板１２の下端を開放したときに開閉板１２の内面に隙間のない状態で当接するように設けられている。又、上下動自在とするために仕切補助板１８に長孔１９が設けられ、この長孔１９に短軸２０を嵌合させて仕切補助板１８を仕切板１４に連結している。この第２仕切補助板１８は、開閉板１２を開放したとき、仕切板１４の下部と開閉板１２との間にできる隙間から散薬が後述する隣接する小容器２３へ流出（洩れ出る）するのを防止するためのものである。その詳細については後で説明する。
【００１６】
分割容器２は、従来例のものと同じであり、図７に示すように等間隔に並設された分離壁２２で形成された複数の小容器２３を有している（２２Ｅは端壁）。小容器２３の底にはそれぞれの開閉蓋２４を設けている。又、分割容器２の背面にはガイドフレーム２５が設けられ、ガイドフレーム２５に溝付きローラを軸支し、かつラックギヤを固定している。溝付きローラを壁面に固定された一対のレールに嵌合し、これにより分割容器２をレールに沿って移動自在に支持している。又、ラックギヤをモータの出力軸に設けたギヤに噛み合わせ、モータの回転によて分割容器２がレールに沿ってＶ桝１の下方を移動する。
【００１７】
分割容器２の各開閉蓋２４は、固定軸２６に嵌挿されたそれぞれの円筒リング２７に固定され、回動自在に支持されている。又、開閉蓋２４はそれぞれのばね２８によって持上げられ、それぞれの小容器２３の底を塞いでいる。各開閉蓋２４は、ホッパ３の位置で開閉できるように設けられた図示しない開閉機構により開閉される。
【００１８】
上記の構成とした実施形態の薬剤分割装置は、散薬をＶ桝１内に溜めて各患者の服用１回分の量に分割し、それぞれをホッパ３から包装装置へ送る。まず、Ｖ桝１の開閉板１２を閉じた状態で仕切板１４を指示された服用回数の全量に相当する位置へ移動させる。この仕切板１４の移動はローラ支持アーム１５に連結されたモータを駆動して行なう。散薬を溜める範囲は仕切板１４と支持ブロック１１のホッパ３寄りの側板１１ａの間であり、この範囲に服用回数と同数の各小容器２３が位置する。
【００１９】
この状態で散薬の必要量をＶ桝１の溝内に投入した後散薬を均し棒（図示せず）によって均す。この場合、溝内の散薬は開閉板１２と仕切板１４の前面上部の端部１４ａとの間に生じる隙間を第１仕切補助板１７により塞ぐように位置しているため、溝内から仕切板１４から隣接する小容器２３へ薬剤が流出するのが防止されている。この後Ｖ桝１の開閉板１２を開いてＶ桝１から散薬を落下させると、散薬は散薬を溜めるＶ桝１内の範囲の下方に並ぶ各小容器２３に分割して配分される。
【００２０】
このとき、開閉板１２が開くと、開閉板１２が閉じていたときには開閉板１２により持上げられていた第２仕切補助板１８が薬剤の落下による摩擦力と自重により位置が下がり、第２仕切補助板１８の下部傾斜辺が傾斜角が小さく立上がった開閉板１２の斜面に当接する。このため、仕切板１４の前面下部と開閉板１２の内面との間に生じる隙間が第２仕切補助板１８によって塞がれる。
【００２１】
従って、仕切板１４の内面との間の隙間から下方の分割容器２の隣接する小容器２３へ散薬の落下の際に散薬が流出するのを大部分防止でき、後に散薬を溜める範囲を変えたときに他の散薬が混合されるのを阻止することができる。この場合、分割容器２の下部の開閉蓋２４は閉じられている。
【００２２】
分割容器２の所定範囲に散薬が落下し、各小容器２３内に分割された散薬が収容されると、分割容器２が少しずつ移動される。そして、ホッパ３の真上に位置する１番目の小容器２３の開閉蓋２４を開いてその小容器２３内の散薬を落下させる。この散薬はホッパ３を介して包装装置へ送られる。次に、分割容器２を移動させて２番目の小容器２３をホッパ３の真上に停止させ、同様に開閉蓋２４を開く。こうして次々と分割容器２内の散薬を包装装置へ送り、分包する。
【００２３】
なお、Ｖ桝１内の散薬を開閉板１２を開いて落下させた後、次の散薬をＶ桝１内に溜めるために開閉板１２を閉じる際は、開閉板１２を閉じる方向へ駆動する力で開閉板１２を介して第２仕切補助板１８を持上げて図１の状態に戻す。このとき、第１仕切補助板１７は自重で傾斜角が大きくなるように回転し、開閉板１２の内面に当接するように移動する。
【００２４】
又、上記実施形態では仕切板１４に対して第２仕切補助板１８はＶ桝１の薬剤を溜めるべき所定範囲の内側となる側に設けた例を示しているが、この補助板１８は仕切板１４の外側に接して設ける、あるいは仕切板１４の厚さ内に溝を形成し、溝から補助板１８が出没するようにしてもよい。
【００２５】
【発明の効果】
以上、詳細に説明したように、この発明の薬剤分割装置はＶ桝と分割容器とを備え、Ｖ桝は支持ブロックと開閉板により形成され、Ｖ桝の溝内に仕切板を位置調整自在に設け、仕切板には仕切板前面下部と開閉板との間に開閉板の開放時に生じる隙間を塞ぐ仕切補助板を設けたから、薬剤をＶ桝の溝内に所定範囲に仕切板を設定して溜め、これを分割容器へ落下させる際に、仕切板から分割容器の所定範囲外の隣接する容器部分へ薬剤が流出することがなくなり、より完全な薬剤の分割が経済的なコストで実現できるという効果が得られる。
【図面の簡単な説明】
【図１】実施形態の薬剤分割装置の主縦断面図
【図２】同上の平面図
【図３】作用の説明図
【図４】作用の説明図
【図５】従来例の薬剤分割装置の主縦断面図
【図６】作用の説明図
【図７】作用の説明図
【符号の説明】
１  Ｖ桝
２  分割容器
３  ホッパ
１１  支持ブロック
１２  開閉板
１４  仕切板
１７  第１仕切補助板
１８  第２仕切補助板
２４  開閉蓋
【図１】
0003934401.tif 000002
【図２】
0003934401.tif 000003
【図３】
0003934401.tif 000004
【図４】
0003934401.tif 000005
【図５】
0003934401.tif 000006
【図６】
0003934401.tif 000007
【図７】
0003934401.tif 000008